(57)【特許請求の範囲】
【請求項１】
壁面に取り付けられる基体１１と、この基体１１に前記壁面に沿う方向から嵌合させられる支持具本体１２とからなり、前記支持具本体１２と前記基体１１との間には、この基体１１と前記支持具本体１２との前記嵌合方向と直交する方向への離脱を防止する係止手段１３が設けられているとともに、前記基体１１と支持具本体１２との前記嵌合方向への相対移動を拘束する抜け止め手段１４が設けられていることを特徴とする壁用物品支持具。
【請求項２】
前記抜け止め手段１４が、前記支持具本体１２に形成された係止孔２５と、前記基体１１に弾性的に連設されるとともに、前記係止孔２５へ係脱させられる係合片１９とによって構成されていることを特徴とする請求項１に記載の壁用物品支持具。
【請求項３】
前記係止孔２５が前記支持具本体１２の表面に開口させられて、この係止孔２５に係合させられる前記係合片１９の一部が前記支持具本体１２の表面に露出させられていることを特徴とする請求項２に記載の壁用物品支持具。
【発明の詳細な説明】
【０００１】
【発明の属する技術分野】
本発明は、家屋等の壁に物品を吊り下げあるいは収納する際に用いられる壁用物品支持具に関するものである。
【０００２】
【従来の技術】
一般に、家屋等においては、壁を利用した物品の整理が行われているとともに、この物品を壁に保持させるための壁用物品支持具が種々提案されており、その一従来例として、たとえば、実公平３ー１３２５９号公報に示された壁用物品支持具が挙げられる。
【０００３】
図４において符号１は、前記実公平３ー１３２５９号公報に示された壁用物品支持具を示すもので、この壁用物品支持具１は、壁面に取り付けられる基体２と、この基体２に着脱可能に取り付けられる支持具本体３とによって構成されている。
【０００４】
前記基体２は、略直方体状に形成されて、壁面にその長さ方向が鉛直方向に沿うようにして取り付けられるもので、この壁面に固定するための釘（図示略）が挿通されるガイド孔４が、上下方向に傾斜した状態で複数形成され、また、各端部の両側面には、前記支持具本体３との係合をなす係合片５が一体に突設されている。
【０００５】
また、前記支持具本体３には、前記基体２が挿入される凹部６が形成されているとともに、この凹部６が形成された側と反対側に、物品あるいはこの物品支持用の補助具が取り付けられる物品支持部７が設けられている。
【０００６】
そして、前記凹部６内には、この内部に基体２が挿入された状態において、この基体２の両側面に対向させられる平行なリブ８が、前記基体２の長さ方向に間隔を置いて２組設けられ、これらの各リブ８の対向面には、前記基体２の各端部の両側面に形成されている前記各係合片５が、前記物品支持部７側から係合させられる係止片９がそれぞれ突設されている。
【０００７】
一方、前記基体２は、前記凹部６内に挿入された状態において、その長さ方向に所定距離相対移動可能となされ、この長さ方向に沿った支持具本体３との相対移動により、この基体２の両側部に形成されている各係合片５と、前記支持具本体３に形成されている各係止片９との係脱が行われるようになっている。
【０００８】
このように構成された従来の壁用物品支持具１は、つぎのようにして壁面に固定される。
まず、前記基体２を、その長さ方向を鉛直方向に一致させた状態で壁面へ当接させ、ついで、この基体２に形成されている各ガイド孔４に釘を挿入して、これらの釘を壁に斜めに打ち込むことにより、この基体２を壁面へ固定する。
【０００９】
このようにして固定された基体２に対して、支持具本体３を、その凹部６内の下部に前記基体２が位置するようにして被せ、ついで、この支持具本体３を下方へ移動させることにより、前記凹部６内に形成されている各係止片９を、前記壁面と前記基体２に形成されている各係合片５との間に挿入して、これらの係合片５に係合させることにより、前記支持具本体３を基体２へ係合させる。
【００１０】
これによって、前記支持具本体３が壁面に固定されて、たとえば、前記支持具本体３にリングを装着して、このリングにタオル等を掛けることによって、タオル掛けとして使用される。
【００１１】
【発明が解決しようとする課題】
ところで、前述した従来の壁用物品支持具１においては、つぎのような改善すべき問題点が残されている。
【００１２】
すなわち、支持具本体３を壁面に固定されている基体２に取り付ける際に、この基体２に対して前記支持具本体３を上方から押し下げて係合させることによって固定していることから、たとえば、前記支持具本体３に支持されている物品を取り外す場合や、あるいは、何らかの操作によって前記支持具本体３を上方に持ち上げるような操作が加わった場合、この支持具本体３と前記基体２との係合が解除されて、前記支持具本体３が脱落してしまうことが想定されるといった問題点である。
【００１３】
本発明は、前述した従来の問題点に鑑みてなされたもので、不用意に脱落することのない壁用物品支持具を提供することを解決すべき課題とする。
【００１４】
【課題を解決するための手段】
本発明の請求項１に記載の壁用物品支持具は、前述した課題を解決するために、壁面に取り付けられる基体と、この基体に前記壁面に沿う方向から嵌合させられる支持具本体とからなり、前記支持具本体と前記基体との間には、この基体と前記支持具本体との前記嵌合方向と直交する方向への離脱を防止する係止手段が設けられているとともに、前記基体と支持具本体との前記嵌合方向への相対移動を拘束する抜け止め手段が設けられていることを特徴としている。
【００１５】
また、本発明の請求項２に記載の壁用物品支持具は、請求項１において、前記抜け止め手段が、前記支持具本体に形成された係止孔と、前記基体に弾性的に連設されるとともに、前記係止孔へ係脱させられる係合片とによって構成されていることを特徴としている。
【００１６】
さらに、本発明の請求項３に記載の壁用物品支持具は、請求項２において、前記係止孔が前記支持具本体の表面に開口させられて、この係止孔に係合させられる前記係合片の一部が前記支持具本体の表面に露出させられていることを特徴としている。
【００１７】
【発明の実施の形態】
以下、本発明の一実施形態について図１ないし図３を参照して説明する。
図１中符号１０は、本実施形態に係わる壁用物品支持具を示し、この壁用物品支持具１０は、壁面Ｗ（図３参照）に取り付けられる基体１１と、この基体１１に前記壁面Ｗに沿う方向から嵌合させられる支持具本体１２とからなり、前記支持具本体１２と前記基体１１との間には、この基体１１と前記支持具本体１２との前記嵌合方向と直交する方向への離脱を防止する係止手段１３が設けられているとともに、前記基体１１と支持具本体１２との前記嵌合方向への相対移動を拘束する抜け止め手段１４とが設けられた概略構成となっている。
【００１８】
ついで、これらの詳細について説明すれば、前記基体１１は、合成樹脂等の可撓性を有する材料によって、若干の厚みを有する板状に形成されており、その両側面には、この基体１１が壁面Ｗに取り付けられた状態において、この壁面Ｗとの間に所定の隙間を形成する係止突条１５が全長に亙って形成されている。
【００１９】
また、この基体１１の上端部から長さ方向略中間部にかかる範囲には、この基体１１を前記壁面Ｗへ固定するための釘１６（図３参照）が挿入されるガイド孔１７が複数形成されており、これらのガイド孔１７の内の、上端部近傍に設けられる一対のガイド孔１７ａが、基体１１の両側部に形成されているとともに、斜め上方へ向けて傾斜させられ（図２（ｂ）参照）、また、これらのガイド孔１７ａの下方に設けられる一対のガイド孔１７ｂは、基体１１の幅方向中心側へ位置させられているとともに、この基体１１の幅方向外方へ向けて傾斜させられ（図２（ｃ）参照）、さらに、これらのガイド孔１７ｂの下方に設けられる一対のガイド孔１７ｃは、基体の両側部に形成されているとともに、それぞれ斜め下方へ向けて傾斜させられている（図２（ｂ）参照）。
【００２０】
さらに、前記基体１１の長さ方向略中間部から下端部にかかる範囲には、前記壁面Ｗと直交する方向に弾性変形可能な弾性片１８が設けられており、この弾性片１８に、前記支持具本体１２と鉛直方向から係合させられる係合片１９が一体に形成されている。
【００２１】
前記支持具本体１２は、前記基体１１に嵌合させられる基部２０と、この基部２０に一体に突設された物品支持部２１とを備え、前記基部２０は、前記基体１１の上辺を覆う上壁２０ａと、基体１１の両側辺を覆う平行な一対の側壁２０ｂとによって構成され、これらの上壁２０ａと両側壁２０ｂとによって取り囲まれる内側に、前記基体１１が嵌合させられる空間部２２が形成され、この空間部２２が、前記両側壁２０ｂの下端部において外方へ連通させられており、この連通部分が、前記基体１１の挿入口２０ｃとなされているとともに、前記空間部２２は、前記基部２０に突設されている前記物品支持部２１の内部まで延設されている。
【００２２】
また、前記両側壁２０ｂの上端部および下端部のそれぞれの内面には、前記基体１１が、前記挿入口２０ｃから空間部２２内に嵌合させられた状態において、この基体１１の両側辺に形成されている突条１５が係合させられる係止片２３・２４が一体に突設されており、これらの突条１５と係止片２３・２４との係合により、前記支持具本体１２が、前記基体１１から、その嵌合方向と直交する方向へ離脱することが防止されるようになっており、これらの突条１５と係止片２３・２４とによって、本実施形態における係止手段１３となされている。
【００２３】
さらに、前記基部２０の上端部および下端部には、前記各係止片２３・２４との間に、前記基体１１の厚さよりも大きな間隔を置いて対向させられた底壁２０ｄ・２０ｅが形成されており、下端部に形成されている底壁２０ｅには、前記空間部２２内に基体１１が嵌合させられた際に、この基体１１に設けられている係合片１９が係合させられる係止孔２５が形成され、これらの係合片１９と係止孔２５とによって本実施形態における抜け止め手段１４が構成されている。
【００２４】
そして、前記基体１１に設けられている前記係合片１９は、基体１１が前記空間部２２内に、長さ方向の途中まで嵌合させられた状態において、前記底壁２０ｅの壁面よりも前記物品支持部２１側に突出するような位置関係となされており、この係合片１９が設けられている弾性片１８の弾性変形によって、前記係合片１９が、前記底壁２０ｅの壁面よりも基体１１側へ移動させられることにより、前記空間部２２内への挿入が可能となされている。
【００２５】
また、前記係合片１９の上端部には、その先端から基体１１の上端部へ向かって漸次弾性片１８側へ接近するガイド面２６ａを有するガイドリブ２６が一体に連設されている。
【００２６】
一方、前記上端部に形成されている底壁２０ｄの下端部には、図３に示すように、基体１１と支持具本体１２とを固定位置まで嵌合させた状態において、前記ガイド孔１７ｃに所定間隔をおいて対向位置させられるリブ２７が形成されている。
【００２７】
さらに、前記基体１１の、前記各ガイド孔１７の基端部を取り囲む部分に、これらのガイド孔１７を露出させる切り欠き２８がそれぞれ形成されている。
【００２８】
また、前記支持具本体１２の物品支持部２１の先端部には、水平方向に貫通する貫通孔２９が形成されているとともに、この貫通孔２９には、図１に示すように、ガイドリング３０が装着されており、このガイドリング３０には、物品支持部２１の内部へ向かう弾性片３１が、一体にかつ周方向に間隔をおいて複数形成され、これらの各弾性片３１の弾性力により、前記ガイドリング３０に挿通されるハンガーロッド３２を弾性的に支持するようになされている。
【００２９】
ついで、このように構成された本実施形態に係わる壁用物品支持具１０の作用について説明する。
【００３０】
まず、基体１１を壁面Ｗの所定位置に突き当て、この基体１１の各ガイド孔１７ａ〜１７ｃに釘１６を挿通して、これらの釘１６を壁面Ｗへ打ち込むことにより、この基体１１を図３に示すように壁面Ｗへ固定する。
【００３１】
このように基体１１を貫通して壁面Ｗに打ち込まれた各釘１６は、前記各ガイド孔１７が上下方向ならびに水平方向両側に向けて傾斜させられていることから、壁面内において先端部が広がるようにして打ち込まれ、これによって、前記基体１１が壁面Ｗに強固に固定される。
【００３２】
一方、壁面Ｗへ打ち込まれた各釘１６は、その頭部が、各ガイド孔１７ａ〜１７ｃの開口端面において基体１１の内面に当接させられて、その打ち込み位置が規制されるとともに、各切り欠き２８の存在により、各釘１６の頭部近傍の側部が露出させられた状態となされる。
【００３３】
したがって、この露出部分において前記各釘１６の頭部に引っかかりをつけることができ、取り外しが容易に行われる。
【００３４】
ついで、このようにして固定された基体１１の上方に、支持具本体１２を、その挿入口２０ｃを下方にして位置合わせした後に、この支持具本体１２を下降させて、この支持具本体１２の基部２０に形成されている空間部２２内に、前記基体１１を前記挿入口２０ｃを経て嵌合させる。
【００３５】
このような嵌合操作によって、前記基部２０の両側部内面に形成されている係止片２３・２４が、基体１１の両側辺に形成されている突条１５へ係合させられ、また、嵌合操作の途中において、基体１１の弾性片１８に設けられているガイドリブ２６のガイド面２６ａが、前記挿入口２０ｃの内縁に当接させられ、さらに支持具本体１２の嵌合操作が継続されることにより、前記ガイドリブ２６が、そのガイド面２６ａの傾斜に伴い前記挿入口２０ｃの内縁によって押し下げられるとともに、前記弾性片１８が基体１１内に押し込まれるようにして弾性変形させられ、これによって、この弾性片１８に突設されている係合片１９の先端面が、前記挿入口２０ｃに連続する底壁２０ｅと面一となされる。
【００３６】
これよりさらに支持具本体１２を下降させると、前記係合片１９が前記基部２０の下方の底壁２０ｅに沿って移動させられることによって、その移動が停止させられる。
【００３７】
そして、このような停止位置において、前記支持具本体１２の上壁２０ａと前記基体１１の上辺とが当接させられるとともに、前記係合片１９が、前記底壁２０ｅに形成されている係止孔２５に合致させられた時点で、前記弾性片１８が自らの弾性力によって原位置に復帰することにより、前記係合片１９が前記係止孔２５内に嵌合させられる。
【００３８】
これによって、基体１１に支持具本体１２が取り付けられて、本実施形態に係わる壁用物品支持具１０が壁面Ｗへ取り付けられる。
【００３９】
そして、このようにして取り付けられた壁用物品支持具１０は、前記突条１５と係止片２３・２４とからなる係止手段１３の作用によって、支持具本体１２の壁面Ｗからの離脱が防止され、かつ、係止孔２５と係合片１９とからなる抜け止め手段１４の作用によって、壁面Ｗに沿った方向における基体１１と支持具本体１２との相対移動が拘束された状態に保持される。
【００４０】
したがって、前記支持具本体１２の前記壁面Ｗに対する相対移動が、壁面Ｗに沿った方向ならびに壁面Ｗから離間する方向の全方向において拘束され、前記支持具本体１２に作用する外力の作用方向に拘わらず、前記支持具本体１２が不用意に脱落するといった不具合の発生が防止される。
【００４１】
また、前記基体１１に支持具本体１２を取り付けた状態において、この支持具本体１２に形成されているリブ２７および上端部の底壁２０ｄが、前記各釘１６の頭部に対向位置させられていることにより、これらの各釘１６が抜け方向に移動した場合、これらの各釘１６の頭部が前記底壁２０ｄやリブ２７へ当接させられることによって、その抜けが防止され、この結果、前記基体１１の壁面Ｗからの脱落も防止される。
【００４２】
一方、前述したようにして壁面Ｗに固定された壁用物品支持具１０を取り外す場合には、前記係止孔２５内に嵌合させられている係合片１９を、前記弾性片１８の弾発力に抗して押し込んで、前記係止孔２５との嵌合状態を解除するとともに、前記係合片１９を押し込んだ状態に保持しつつ支持具本体１２を上方へ引き上げることによって、この支持部本体１２を基体１１から取り外し、さらに、この基体１１を壁面Ｗに固定している複数の釘１６の頭部に、基体１１に形成されている切り欠き２８を利用して、引き抜き用の治具を係合させてこれらの各釘１６を引き抜けばよい。
【００４３】
なお、前述実施形態において示した各構成部材の諸形状や寸法等は一例であって、設計要求等に基づき種々変更可能である。
【００４４】
たとえば、抜け止め手段１４を構成する係合片１９と係止孔２５の位置関係を反対にして、基体１１の方に係止孔２５を、支持具本体１２の方に係合片１９を設けてもよいし、基体１１における係合片１９は弾性片１８上に設けず、支持具本体１２の方に係止孔２５を穿設した弾性片１８を設けてもよい。
【００４５】
あるいは、前記実施形態においては、抜け止め手段１４を、支持具本体１２に形成されている係止孔２５と、前記基体１１に形成されている係合片１９とによって構成し、かつ、前記係止孔２５を支持具本体１２の表面に開放させた構成とした例について示したが、前記係止孔２５に代えて、前記支持具本体１２の内面に、前記係合片１９と上下方向から係合させられる一対の係合突起、あるいは、係合溝を形成しておき、これらの係合突起や係合溝に前記係合片１９を係合させることによって、前記基体１１と支持具本体１２との壁面Ｗに沿った相対移動を拘束するようにしてもよい。
【００４６】
ただし、このような構成とすると、前記係合片１９が支持具本体１２によって全く覆われてしまい取り外しが不可能になってしまうことから、取り外す必要のない用途に用いる必要がある。
【００４７】
あるいは、支持具本体１２の任意の位置に、前記弾性片１８あるいは係合片１９を押圧するための治具を挿通できる孔を形成しておくことにより、取り外し可能な構成とすることも可能である。
【００４８】
また、前記係合片１９と係止孔２５との嵌合を、前記基体１１と一体に連設された弾性片１８の弾発力を利用して行った例について示したが、別途形成されたばね等の弾発部材を、前記基体１１と係合片１９との間に介装する構成とすることももちろん可能である。
【００４９】
さらに、前記実施形態においては、支持具本体１２に貫通孔２９を形成して、この貫通孔２９にハンガーロッド３２を装着し、このハンガーロッド３２に物品を掛けるような構成とした例について示したが、前記支持具本体１２自体をフック状に形成して、物品を直接支持具本体１２に掛けるような構成とすることもできる。
【００５０】
【発明の効果】
以上説明したように、本発明の請求項１に係わる壁用物品支持具は、壁面に取り付けられる基体と、この基体に前記壁面に沿う方向から嵌合させられる支持具本体とからなり、前記支持具本体と前記基体との間には、この基体と前記支持具本体との前記嵌合方向と直交する方向への離脱を防止する係止手段が設けられているとともに、前記基体と支持具本体との前記嵌合方向への相対移動を拘束する抜け止め手段が設けられていることを特徴とするもので、係止手段と抜け止め手段との作用により、基体に対する支持具本体の相対移動を全方向において拘束することにより、支持具本体の不用意な脱落を確実に防止して、安定した使用を可能にする。
【００５１】
また、本発明の請求項２に係わる壁用物品支持具は、請求項１における抜け止め手段が、前記支持具本体に、前記基体との嵌合方向と直交する方向に沿って形成された係止孔と、前記基体に弾性的に連設されるとともに、前記係止孔へ係脱させられる係合片とによって構成されていることを特徴とするもので、係合片を係止孔内に合致させた時点で、前記係合片が弾性的に係止孔内へ係合させられることにより、これらの係合が確実に行われ、この結果、支持具本体と基体との固定が確実に行われて、支持具本体の脱落防止を一層確実なものとすることができる。
【００５２】
さらに、本発明の請求項３に記載の壁用物品支持具は、請求項２における係止孔が前記支持具本体の表面に開口させられて、この係止孔に係合させられる前記係止片の一部が前記支持具本体の表面に露出させられていることを特徴とするもので、係止孔に係合させられている係止片を支持具本体の表面から押して前記係止孔との係合を解除することにより、前記支持具本体と基体との嵌合方向に沿った相対移動を可能にし、これによって、支持具本体の取り外し、ひいては、壁用物品支持具全体の取り外しを簡素化することができる。
【図面の簡単な説明】
【図１】本発明の一実施形態を示す分解斜視図である。
【図２】本発明の一実施形態に用いられる基体を示すもので、（ａ）は正面図、（ｂ）は（ａ）のＢ−Ｂ線に沿う矢視断面図、（ｃ）は（ａ）のＣ−Ｃ線に沿う矢視断面図である。
【図３】本発明の一実施形態を示すもので、壁面に取り付けた状態を示す、縦断面図である。
【図４】一従来例を示す分解斜視図である。
【符号の説明】
１０  壁用物品支持具
１１  基体
１２  支持具本体
１３  係止手段
１４  抜け止め手段
１５  突条（係止手段）
１８  弾性片
１９  係合片（抜け止め手段）
２２  空間部
２３・２４  係止片（係止手段）
２５  係止孔（抜け止め手段）
Ｗ  壁面
【図１】
0003601135.tif 000002
【図２】
0003601135.tif 000003
【図３】
0003601135.tif 000004
【図４】
0003601135.tif 000005